(57)【要約】【課題】本発明は、より容易に近距離無線通信用アンテナが電力の供給を受けることができる無線通信機器及び当該無線通信機器に搭載された近距離無線通信用アンテナを提供する。【解決手段】本発明の携帯電話機１は、開口部を備えるケース部材と、前記ケース部材に配され、ループアンテナと被給電端子とを含み、少なくとも一部の領域が可撓性の基板で構成される近距離無線通信用アンテナと、を備え、前記可撓性基板における前記被給電端子を含む一部の領域が前記開口部に挿入される。【選択図】図１
2015007815.tif 000002
【特許請求の範囲】
【請求項１】
開口部を備えるケース部材と、
前記ケース部材に配され、ループアンテナと被給電端子とを含み、少なくとも一部の領域が可撓性の基板で構成される近距離無線通信用アンテナと、を備え、
前記基板における前記被給電端子を含む一部の領域が前記開口部に挿入される
無線通信機器。
【請求項２】
前記開口部を覆うためのシートをさらに備え、
前記シートは、前記開口部の周辺の前記基板の一部に接着することで前記開口部を覆う
請求項１に記載の無線通信機器。
【請求項３】
前記開口部の周辺の前記基板は、ループアンテナが設けられていない部分を含む
請求項２に記載の無線通信機器。
【請求項４】
前記被給電端子は、ケース部材内部に位置する給電端子に接触する請求項１から３のいずれか一項に記載の無線通信機器。
【請求項５】
請求項１〜４に記載の携帯電子機器に配される近距離無線通信用アンテナ。
【請求項６】
前記開口部には接着剤が充填される
請求項１に記載の無線通信機器。
【請求項７】
前記ケース部材は、接着剤注入口及び接着剤到達口が開口部を挟んで設けられ、
前記接着剤注入口及び前記接着剤到達口は前記開口部に連通し、
前記接着剤注入口から前記接着剤が注入されると、前記開口部及び前記接着剤到達口に充填される
請求項６に記載の無線通信機器。
【発明の詳細な説明】
【技術分野】
【０００１】
本発明は、近距離無線通信機能を備えた無線通信機器に関する。
【背景技術】
【０００２】
近年、ＩＣチップとアンテナを備えた非接触ＩＣカードを内蔵したり、ＩＣチップとアンテナを分離して搭載したりして、アンテナからの電磁波によって外部のリーダ・ライタと非接触で無線通信が行える携帯電話機等の無線通信端末が普及している。このような携帯電話機は、交通機関の改札機にかざして乗車券として利用したり、大型販売店などにおいて電子マネーシステムに利用したりすることができる。したがって、このような携帯電話機は、使用時において外部のリーダ・ライタと携帯電話機側のアンテナとが近接していることが望ましいので、アンテナ部分は、携帯電話機の筐体内部の壁側に固定されているのが一般的である（例えば、特許文献１）。
【先行技術文献】
【特許文献】
【０００３】
【特許文献１】特開２０１３−５０６９号公報
【発明の概要】
【発明が解決しようとする課題】
【０００４】
ここで、アンテナ部分は、携帯電話機の筺体内部の壁側に固定されるため、携帯電話機の筺体内部の内側に固定される回路基板から電気の供給を受けるために、別途、回路基板と導通を取るための仕組みが必要である。例えば、回路基板と導通された給電端子を筺体に貫通させて設けて、当該給電端子とアンテナ部分に設けられる被給電端子とが接触することにより、アンテナ部分は、回路基板からの電力の供給を受けることができる。
【０００５】
しかし、このような仕組みでは、携帯電話機の製造過程において給電端子を設けるための工程及びコストの上昇が発生する。
【０００６】
よって、より容易に近距離無線通信用アンテナが電力の供給を受けることができる無線通信機器及び当該無線通信機器に搭載された近距離無線通信用アンテナを提供することを目的とする。
【課題を解決するための手段】
【０００７】
本発明の無線通信機器は、開口部を備えるケース部材と、前記ケース部材に配され、ループアンテナと被給電端子とを含み、少なくとも一部の領域が可撓性の基板で構成される近距離無線通信用アンテナと、を備え、前記基板における前記被給電端子を含む一部の領域が前記開口部に挿入される。
【０００８】
好適には、前記開口部を覆うためのシートをさらに備え、前記シートは、前記開口部の周辺の前記基板の一部に接着することで前記開口部を覆う。
【０００９】
好適には、前記開口部の周辺の前記基板は、ループアンテナが設けられていない部分を含む。
【００１０】
好適には、前記被給電端子は、ケース部材内部に位置する給電端子に接触する。
【００１１】
好適には、前記開口部には接着剤が充填される。
【００１２】
好適には、前記ケース部材は、接着剤注入口及び接着剤到達口が開口部を挟んで設けられ、前記接着剤注入口及び前記接着剤到達口は前記開口部に連通し、前記接着剤注入口から前記接着剤が注入されると、前記開口部及び前記接着剤到達口に充填される。
【００１３】
本発明の無線通信用アンテナは、携帯電子機器に配されるものである。
【発明の効果】
【００１４】
より容易に近距離無線通信用アンテナが電力の供給を受けることができる無線通信機器及び当該無線通信機器に搭載された近距離無線通信用アンテナを提供することができる。
【図面の簡単な説明】
【００１５】
【図１】図１は、本発明の第１の実施形態における携帯電話機１００の正面図である。
【図２】図２は、本発明の第１の実施形態における携帯電話機１００のリアケース２０及びリアケース２０を覆っている電池カバー１０の斜視図である。
【図３】図３は、本発明の第１の実施形態における携帯電話機１００のリアケース２０の斜視図である。
【図４】図４は、図３における携帯電話機１００のアンテナ収納部２１に収納されたＦｅｌｉｃａアンテナ３０及びその他の部材を表した斜視図である。
【図５】図５は、本発明の第１の実施形態における携帯電話機１のＦｅｌｉｃａアンテナ３０の正面図である。
【図６】図６は、図３におけるリアケース２０のＡ−Ａ断面図である。
【図７】図７は、本発明の第２の実施形態におけるリアケース６０の内面側斜視図及び開口部６１（接着剤７０充填前）近傍の拡大斜視図を示す。
【図８】図８は、本発明の第２の実施形態におけるリアケース６０の内面側斜視図及び開口部６１（接着剤７０充填後）近傍の拡大斜視図を示す。
【発明を実施するための形態】
【００１６】
本発明の実施形態である携帯電話機（携帯電子機器）について以下に説明する。
【００１７】
まず、本発明の第１の実施形態について以下に説明する。
【００１８】
図１は、本発明の第１の実施形態における携帯電話機１００の正面図である。
【００１９】
図１に示すように、携帯電話機１００は、例えば、フロントケース、リアケース２０、表示部、主に表示部を覆うカバーガラス、キーセット、付帯ケース、電池カバー１０、Ｆｅｌｉｃａ（登録商標）チップ及びＦｅｌｉｃａアンテナ３０を備える。また、携帯電話機１００は、図示しないが、電池、着信ランプ、近接センサー、インカメラ、電源キー、音量キー、スピーカー、アンテナ、赤外線ポート、アウトカメラ等を備えていてもよい。
【００２０】
図２は、本発明の第１の実施形態における携帯電話機１００のリアケース２０及びリアケース２０を覆っている電池カバー１０の斜視図である。
【００２１】
図２に示すように、携帯電話機１００のリアケース２０は、通常、電池カバー１０に覆われている。
【００２２】
電池カバー１０は、一部に孔部を有する。これによって、リアケース２０に設けられたサイドキー、伸長可能なアンテナ、ＬＥＤライトのカバー及びカメラのレンズカバー等が電池カバー１０によって覆われず、露出する。
【００２３】
また、電池カバー１０は、図示しない爪部を設け、爪部がリアケース２０の図示しない受け部に係合することにより、リアケース２０を覆った状態でリアケース２０に対して固定される。
【００２４】
図３は、本発明の第１の実施形態における携帯電話機１００のリアケース２０の斜視図である。
【００２５】
図４は、図３における携帯電話機１００のアンテナ収納部２１に収納されたＦｅｌｉｃａアンテナ３０及びその他の部材を表した斜視図である。
【００２６】
リアケース２０には、そのアンテナ収納部２１にＦｅｌｉｃａアンテナ３０が配置される。
【００２７】
リアケース２０には、Ｆｅｌｉｃａアンテナ３０の被給電端子３１ｂを含むＦＰＣ２１の一部をリアケースの外側から内側へと引き入れるための開口部２２が設けられている。
【００２８】
それによって、被給電端子３１ｂを含むＦＰＣ２１の一部が開口部２２に挿入された後、防水性のシート４０が、開口部２２を覆うように、開口部２０周縁のＦＰＣ３１の一部に接着されることで、開口部２２がリアケース２０の外面側から封止される。
【００２９】
それにより、リアケース２０の外側から開口部２２を介して水等がリアケース２０内側に侵入することを防止することができる。
【００３０】
図５は、本発明の第１の実施形態における携帯電話機１のＦｅｌｉｃａアンテナ３０の正面図である。
【００３１】
Ｆｅｌｉｃａアンテナ３０は、Ｆｅｌｉｃａ用のＦＰＣ３１（可撓性の基板）で構成され、可撓性の性質を有する。
【００３２】
ＦＰＣ３１は、リアケース２０に配置された際に、開口部２２の周縁を囲む部分（太枠部分）を有する。
【００３３】
これによって、防水性のシート４０をＦＰＣ３１に接着することが可能となる。
【００３４】
開口部２２の周縁を囲む部分（太線部分）の内の一部（斜線部分）には、ループアンテナを設けられていない。
【００３５】
図６は、図３におけるリアケース２０のＡ−Ａ断面図である。
【００３６】
ＦＰＣ３１の被給電端子３１ｂが設けられた部分は、リアケース２０の外側から内側へと開口部２２を介して挿入され、挿入された部分は、端子が設けられた面と逆側の面においてリアケース２０の内面に接着されることにより、リアケース２０に対して固定される。これにより、被給電端子３１ｂは、リアケース２０の内側における所定の位置において、露出することになる。そして、露出した被給電端子３１ｂに、給電端子５０を接触させることで、給電端子５０からの給電を受ける。
【００３７】
これによって、Ｆｅｌｉｃａアンテナ３０に給電することが可能となる。
【００３８】
次に、本発明の第２の実施形態について以下に説明する。
【００３９】
まず、第１実施形態では、開口部２２の周縁に配置されたＦＰＣ３１にシート４０を接着し開口部２２を封止することで、開口部２２を介してリアケース２０内面側へ水等が侵入することを防止した。
【００４０】
一方で、第２実施形態では、シート４０による防水性の確保の代わりに、接着剤７０を用いることで防水性を確保した。
【００４１】
その詳細について、以下に説明する。
【００４２】
図７は、本発明の第２の実施形態におけるリアケース６０の内面側斜視図及び開口部６１（接着剤７０充填前）近傍の拡大斜視図を示す。
【００４３】
リアケース６０は、その内面側において、開口部６１、接着剤注入口６２、接着剤到達口６３を有する。
【００４４】
開口部６１は、第１実施形態に比べて開口面積が小さく構成されている。
【００４５】
接着剤注入口６２は、開口部６１に連通して設けられ、開口部６１の中央部の右手側に設けられている。
【００４６】
接着剤到達口６３は、開口部６１に連通して設けられ、開口部６１の中央部の左手側に設けられ、開口部６１の半分程度の深さで設けられている。
【００４７】
接着剤注入口６２に接着剤７０が注入された場合、接着剤注入口６２及び接着剤到達口６３が開口部６１に連通しているため、注入された接着剤７０は、接着剤注入口６２から開口部６１を経て接着剤到達口６３まで到達する。
【００４８】
接着剤到達口６３まで接着剤７０が到達した場合には、開口部６１には十分な量の接着剤が充填されている。
【００４９】
よって、接着剤到達口６３に接着剤７０が充填されたことを確認することで、接着剤７０が開口部６１に十分に充填できていることを確認することができる。
【００５０】
なお、第２実施形態において、リアケース６０の外面側は、第１実施例と同様の構成である。また、リアケース６０の外面側に配置されている図示しないＦｅｌｉｃａアンテナは、第１実施形態とは異なり、ＦＰＣにおけるループアンテナを設けていない部分を設けていない。
【００５１】
図８は、本発明の第２の実施形態におけるリアケース６０の内面側斜視図及び開口部６１（接着剤７０充填後）近傍の拡大斜視図を示す。
【００５２】
接着剤注入口６２から注入された接着材７０は、開口部６１、接着剤注入口６２、接着剤到達口６３に充填される。これによって、携帯電話機１００は、開口部６２を介してリアケース６０の内面側にほこりや水分等が侵入することを防止することができる。
【００５３】
なお、リアケース６０の外面側において、図示しないシート８０によって開口部６１が封止されているため、接着剤７０を開口部６１に充填しても、リアケース６０の外面側に漏れない。
【００５４】
本実施形態により、携帯電話機におけるＦｅｌｉｃａアンテナに対する電力を供給する構造を極力簡素化しつつ、携帯電話機全体の防水性を向上することができる。
【００５５】
また、本発明の装置は、実施形態における携帯電話機１に限定されず、携帯型パソコン、デジタルカメラ、メディアプレイヤ、電子書籍リーダ、ナビゲータ、ゲーム機等の携帯電子機器、通信機能に特化した通信専用モジュール、デスクトップパソコン、テレビ受像器等の据え置き型の電子機器であってもよい。
【００５６】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【符号の説明】
【００５７】
１０  電池カバー
２０  リアケース
２１  アンテナ収納部
２２  開口部
３０  Ｆｅｌｉｃａアンテナ
３１  ＦＰＣ
３１ａ  ループアンテナ
３１ｂ  被給電端子
３１ｃ  折れ曲がり部
３１ｄ  ループアンテナ非配置領域
３２  両面テープ
３３  両面テープ
４０  シート
５０  給電端子
６０  リアケース
６１  開口部
６２  接着剤注入口
６３  接着剤到達口
７０  接着剤
８０  シート
１００  携帯電話機
【図１】
2015007815.tif 000003
【図２】
2015007815.tif 000004
【図３】
2015007815.tif 000005
【図４】
2015007815.tif 000006
【図５】
2015007815.tif 000007
【図６】
2015007815.tif 000008
【図７】
2015007815.tif 000009
【図８】
2015007815.tif 000010